(57)【要約】      （修正有）【課題】所望のジョブを設定して画像読み取り装置に実行させる一連の作業を容易にする。【解決手段】画像読み取り装置と、通信ネットワークによって前記画像読み取り装置に接続された複数の情報端末とを備える画像読み取りシステムであって、前記情報端末は、前記画像読み取り装置に実行させるジョブを設定する設定手段と、ジョブ問い合わせに応答して前記ジョブを前記画像読み取り装置に送信する応答手段と、を備える。前記画像読み取り装置は、前記ジョブ問い合わせを前記複数の情報端末に送信する問い合わせ手段と、前記複数の情報端末から受信した前記ジョブを選択可能に表示する表示手段と、表示された前記ジョブを選択する選択手段と、選択された前記ジョブを実行する実行手段と、を備える。【選択図】図１
2014093631.tif 000002
【特許請求の範囲】
【請求項１】
画像読み取り装置と、通信ネットワークによって前記画像読み取り装置に接続された複数の情報端末とを備える画像読み取りシステムであって、  前記情報端末は、    前記画像読み取り装置に実行させるジョブを設定する設定手段と、    ジョブ問い合わせに応答して前記ジョブを前記画像読み取り装置に送信する応答手段と、  を備え、  前記画像読み取り装置は、    前記ジョブ問い合わせを前記複数の情報端末に送信する問い合わせ手段と、    前記複数の情報端末から受信した前記ジョブを選択可能に表示する表示手段と、    表示された前記ジョブを選択する選択手段と、    選択された前記ジョブを実行する実行手段と、  を備える、  画像読み取りシステム。
【請求項２】
前記設定手段は、グループＩＤに関連づけて前記ジョブを設定し、  前記表示手段は、任意のグループＩＤの選択を受け付け、選択された前記グループＩＤに関連づけられた前記ジョブを選択可能に表示する、  請求項１に記載の画像読み取りシステム。
【請求項３】
前記設定手段は、表示優先情報を付して前記ジョブを設定し、  前記表示手段は、前記表示優先情報に基づいて抽出した前記ジョブを選択可能に表示する、  請求項１または２に記載の画像読み取りシステム。
【請求項４】
前記設定手段は、２段階以上の表示優先度の設定を受け付け、設定された前記表示優先度を示す前記表示優先情報を付して前記ジョブを設定し、  前記表示手段は、前記表示優先度が相対的に高い前記ジョブを相対的に上位に表示する、  請求項３に記載の画像読み取りシステム。
【請求項５】
前記設定手段は、前記表示優先度が上げられてから所定時間経過後に前記表示優先度を下げる、  請求項４に記載の画像読み取りシステム。
【請求項６】
前記設定手段は、前記表示優先度が上げられてから前記表示優先度に応じた期間が経過した後に前記表示優先度を下げ、  前記表示優先度に応じた期間は、前記表示優先度が高いほど短く、前記表示優先度が低いほど長い、  請求項５に記載の画像読み取りシステム。
【請求項７】
ジョブを設定する設定手段と、ジョブ問い合わせに応答して前記ジョブを送信する応答手段と、を備える複数の情報端末に、通信ネットワークによって接続される画像読み取り装置であって、  前記ジョブ問い合わせを前記複数の情報端末に送信する問い合わせ手段と、  前記複数の情報端末から受信した前記ジョブを選択可能に表示する表示手段と、  表示された前記ジョブを選択する選択手段と、  選択された前記ジョブを実行する実行手段と、  を備える画像読み取り装置。
【請求項８】
ジョブ問い合わせを前記複数の情報端末に送信する問い合わせ手段と、ジョブを選択可能に表示する表示手段と、表示された前記ジョブを選択する選択手段と、選択された前記ジョブを実行する実行手段と、を備える画像読み取り装置と通信ネットワークによって接続されたコンピュータに、    前記画像読み取り装置に実行させるジョブを設定する処理と、    ジョブ問い合わせに応答して前記ジョブを前記画像読み取り装置に送信する処理と、  を実行させるジョブ管理プログラム。
【発明の詳細な説明】
【技術分野】
【０００１】
本発明は画像読み取りシステム、画像読み取り装置およびジョブ管理プログラムに関する。
【背景技術】
【０００２】
従来、原稿から画像データを読み取り、読み取った画像データをＰＣ（Personal Computer）に転送したり、電子メールに添付して送信する一連の処理をジョブとして予めスキャナーに設定しておき、所望のジョブを選択して実行させることができるスキャナーが知られている。特許文献１に記載されたスキャナーでは、このようなジョブがスキャナーの操作パネルで設定される。
【先行技術文献】
【特許文献】
【０００３】
【特許文献１】特開２００４−１２９２４８号公報
【発明の概要】
【発明が解決しようとする課題】
【０００４】
しかし、ジョブをスキャナーの操作パネルで設定する作業と、ＰＣで設定する作業とを比較すると、画面サイズが大きく、キーボードやマウスを備えたＰＣを操作して設定する作業の方が容易である。  
【０００５】
ところで、スキャナーが複数のＰＣに接続されるオフィス環境を想定すると、スキャナーで読み取った画像データを自分のＰＣに転送できるように各人が各人のＰＣでジョブを設定することになる。しかし、スキャナーと接続されたＰＣが多数あって、ＰＣ毎にジョブの設定が可能な場合、スキャナーの操作パネルにおいて選択可能なジョブが多数になるため、所望のジョブを手早く選択することが困難になるという問題がある。特に、大規模オフィスにおいては、スキャナーにＬＡＮ（Local Area Network）で接続されているＰＣの数が数百台となることもあり、個々のＰＣはそれぞれ複数のジョブを設定し得るため、スキャナーの操作パネルにおいて選択可能なジョブは膨大な数になる。  
【０００６】
本発明はこのような問題を解決するために創作されたものであって、所望のジョブを設定して画像読み取り装置に実行させる一連の作業を容易にすることを目的の１つとする。
【課題を解決するための手段】
【０００７】
（１）上記目的を達成するための画像読み取りシステムは、画像読み取り装置と、通信ネットワークによって前記画像読み取り装置に接続された複数の情報端末とを備える画像読み取りシステムであって、前記情報端末は、前記画像読み取り装置に実行させるジョブを設定する設定手段と、ジョブ問い合わせに応答して前記ジョブを前記画像読み取り装置に送信する応答手段と、を備える。また前記画像読み取り装置は、前記ジョブ問い合わせを前記複数の情報端末に送信する問い合わせ手段と、前記複数の情報端末から受信した前記ジョブを選択可能に表示する表示手段と、表示された前記ジョブを選択する選択手段と、選択された前記ジョブを実行する実行手段と、を備える。  
【０００８】
本発明によると、画像読み取り装置に実行させる所望のジョブを情報端末において設定しておくと、画像読み取り装置がそのジョブを取得して選択可能に表示するため、ユーザーは画像読み取り装置においてそのジョブを選択して実行させることができる。したがって本発明によると、所望のジョブを設定して画像読み取り装置に実行させる一連の作業が容易になる。  
【０００９】
（２）上記目的を達成するための画像読み取りシステムにおいて、前記設定手段は、グループＩＤに関連づけて前記ジョブを設定し、前記表示手段は、任意のグループＩＤの選択を受け付け、選択された前記グループＩＤに関連づけられた前記ジョブを選択可能に表示してもよい。  この構成を採用する場合、画像読み取り装置に多数の情報端末が接続されている場合であっても、画像読み取り装置において選択可能に表示されるジョブをグループＩＤの一致によって絞り込むことができる。したがって、ジョブの選択がさらに容易になる。  
【００１０】
（３）上記目的を達成するための画像読み取りシステムにおいて、前記設定手段は、表示優先情報を付して前記ジョブを設定し、前記表示手段は、前記表示優先情報に基づいて抽出した前記ジョブを選択可能に表示する。  この構成を採用する場合、画像読み取り装置に多数の情報端末が接続されている場合であっても、画像読み取り装置において選択可能に表示されるジョブを表示優先情報に基づいて絞り込むことができる。したがって、ジョブの選択がさらに容易になる。  
【００１１】
（４）さらに上記（３）の構成を採用する場合、前記設定手段は、２段階以上の表示優先度の設定を受け付け、設定された前記表示優先度を示す前記表示優先情報を付して前記ジョブを設定し、前記表示手段は、前記表示優先度が相対的に高い前記ジョブを相対的に上位に表示しても良い。  この構成を採用する場合、選択可能に表示するジョブを２段階以上の表示優先度に基づいて絞り込むことができる。したがって、ジョブの選択がさらに容易になる。  
【００１２】
（５）さらに上記（４）の構成を採用する場合、前記設定手段は、前記表示優先度が上げられてから所定時間経過後に前記表示優先度を下げてもよい。  情報端末毎に表示優先度を設定可能な場合、常に自分が設定したジョブが優先的に画像読み取り装置において表示されるように、すぐにジョブを実行させる意志があるか否かに関わらずユーザーが表示優先度を常に高く設定しておくことが予想される。そのような設定が可能である場合には、表示優先度に応じてジョブを優先表示することが意味をなさなくなる。そこで、表示優先度が上げられてから所定時間経過後に表示優先度を下げることにより、すぐにジョブを実行させる意志があるユーザーにとってジョブを選択することを容易にできる。  
【００１３】
（６）さらに上記（５）の構成を採用する場合、前記設定手段は、前記表示優先度が上げられてから前記表示優先度に応じた期間が経過した後に前記表示優先度を下げ、前記表示優先度に応じた期間は、前記表示優先度が高いほど短く、前記表示優先度が低いほど長くてもよい。  
【００１４】
これにより、ユーザーがジョブを実行させようとする緊急性に応じてジョブが画像読み取り装置において選択可能な表示対象として抽出される。具体的には、表示優先度が３段階以上に設定可能な場合、各ユーザーは緊急性に応じた適切な表示優先度を設定しなければならなくなるため、不必要に高い表示優先度がジョブに設定されることを防止できる。  
【００１５】
また請求項に記載された各手段の機能は、構成自体で機能が特定されるハードウェア資源、プログラムにより機能が特定されるハードウェア資源、又はそれらの組み合わせにより実現される。また、これら各手段の機能は、各々が物理的に互いに独立したハードウェア資源で実現されるものに限定されない。さらに、本発明は、画像読み取り装置を構成する画像読み取り装置または情報端末の発明としても、方法の発明としても、プログラムの発明としても、プログラムの記録媒体としても成立する。むろん、そのコンピュータプログラムの記録媒体は、磁気記録媒体であってもよいし光磁気記録媒体であってもよいし、今後開発されるいかなる記録媒体であってもよい。
【図面の簡単な説明】
【００１６】
【図１】本発明の実施形態にかかるブロック図。
【図２】本発明の実施形態にかかる画面構成図。
【図３】本発明の実施形態にかかる平面図。
【図４】本発明の実施形態にかかるシーケンスチャート。
【図５】本発明の実施形態にかかる画面遷移図。
【図６】本発明の実施形態にかかるフローチャート。
【図７】本発明の実施形態にかかるシーケンスチャート。
【図８】本発明の実施形態にかかる画面構成図。
【図９】本発明の実施形態にかかるフローチャート。
【図１０】本発明の実施形態にかかるフローチャート。
【図１１】本発明の実施形態にかかる画面構成図。
【図１２】本発明の実施形態にかかる画面構成図。
【図１３】本発明の実施形態にかかるグラフ。
【図１４】本発明の実施形態にかかる画面遷移図。
【発明を実施するための形態】
【００１７】
以下、本発明の実施の形態を添付図面を参照しながら説明する。尚、各図において対応する構成要素には同一の符号が付され、重複する説明は省略される。  
【００１８】
１．第一実施例  図１に本発明の第一実施例にかかる画像読み取りシステムを示す。この画像読み取りシステムはＬＡＮ（Local Area Network）３０で接続された任意の数のＰＣ（Personal Computer）１０と任意の数のスキャナー２０とで構成される。  
【００１９】
情報端末としてのＰＣ１０は、ＣＰＵ、ＲＡＭ、入出力機構等で構成された処理部１１と、ＬＣＤ（Liquid Cristal Display）とその制御回路とで構成された表示部１３と、マウス、モニタ等で構成された操作部１４と、フラッシュメモリ、ハードディスク等の不揮発性記録媒体で構成された外部記憶１２とを備えている。外部記憶１２には、スキャナー２０が実行するジョブを管理するためのジョブ管理プログラムが記憶されている。ジョブ管理プログラムを処理部１１において実行することで処理部１１は設定部１１ａおよび応答部１１ｂとして機能する。  
【００２０】
画像読み取り装置としてのスキャナー２０は、ＣＰＵ、ＲＡＭ、入出力機構等で構成された処理部２１と、ＬＣＤとその制御回路とで構成された表示部２３と、後述する各種のスイッチを備える操作部２４と、フラッシュメモリ等で構成された外部記憶２５と、レンズ、リニアイメージセンサ、ＡＤＣ（Analog Digital Converter）、副走査機構等で構成された読み取り部２２とを備えている。外部記憶２５には、スキャナー２０の各部を制御するためのファームウェアが記憶されている。ファームウェアを処理部２１において実行することで処理部２１は問い合わせ部２１ａ、表示制御部２１ｂ、操作受け付け部２１ｃ、読み取り制御部２１ｄとして機能する。  
【００２１】
スキャナー２０は、ジョブを実行することにより、原稿の読み取りやスキャンデータの転送を処理する。ジョブは、スキャナー２０自体で設定される他、通信ネットワーク上の同一セグメントにある各ＰＣ１０においても設定される。ジョブは、読み取り解像度、読み取り方法（フルカラー／モノクロ）、スキャンデータのファイル形式、スキャンデータの転送先等を定義した情報である。スキャンデータの転送先としては、スキャナー２０に接続されているＰＣ１０の外部記憶１２の他、電子メールを介してスキャンデータを受信可能な任意の情報端末やプリンターを指定可能である。  
【００２２】
ＰＣ１０においてジョブを設定するためのＧＵＩ（Graphical User Int
erface）の一例を図２Ａに示す。このようなＧＵＩはジョブ管理プログラムを実行する処理部１１が設定部１１ａとして機能することによって表示部１３の画面に表示される。各種のボタンやドロップダウンリストボックスやテキストボックスが操作部１４によって操作されることによってジョブが設定される。このようにして設定されるジョブはジョブ管理プログラムがインストールされているＰＣ１０毎に複数記憶しておくことができ、それぞれにジョブ名が付されて記憶される。  
【００２３】
後述するように、各ＰＣ１０において設定されるジョブの１つがスキャナー２０において選択されて実行される。しかし仮に、各ＰＣ１０において設定される全てのジョブがスキャナー２０において選択可能に一覧表示されるとすると、ユーザーは膨大な数のジョブの中から所望のジョブを選択することとなり、利便性が悪い。そこで本実施例では、次に述べるように、ジョブとスキャナー２０にグループＩＤを付する。  
【００２４】
ジョブにグループＩＤを付すためのＧＵＩの一例を図２Ｂに示す。このＧＵＩはジョブ管理プログラムを実行するＰＣ１０の処理部１１が設定部１１ａとして機能することによってＰＣ１０の表示部１３の画面に表示される。ここでは任意のジョブに対してＰＣ１０毎に１つのグループＩＤを設定可能である。具体的には、図２Ｂに示す状態で「ＯＫ」ボタンが選択されると、コンピューター名「ＰＣ１」とグループ名「１」とが関連付けて設定される。すなわち、「ＰＣ１」というコンピューター名が付されたＰＣ１０の設定部１１ａは、設定される全てのジョブに、グループ名「１」というグループＩＤを付して、「ＰＣ１」というコンピューター名が付されたＰＣ１０自身の外部記憶１２に記憶する。  
【００２５】
スキャナー２０にグループＩＤを付すためのＧＵＩの一例を図３に示す。このＧＵＩはファームウェアを実行するスキャナー２０の処理部２１が表示制御部２１ｂとして機能することによってスキャナー２０の表示部２３の画面２３１に表示される。ここではスキャナー毎に１つのグループＩＤを設定可能である。具体的には、設定ボタン２４１が押されると、図３に示すＧＵＩが画面２３１に表示され、方向キー２４４、２４６によってグループＩＤを選択可能になる。例えば図３に示す状態でＯＫボタン２４７が押されると、当該スキャナー２０は「１」というグループＩＤを自身の外部記憶２５に記憶する。  
【００２６】
このようにして設定されるグループＩＤを用いることにより、スキャナー２０において選択可能に表示するジョブを絞り込むことができる。以下、図４に示すシーケンスチャートと図５に示す画面遷移図を参照しながら詳細に説明する。なお、図５に示すそれぞれのＧＵＩは表示制御部２１ｂとして処理部２１が機能することによって表示される。また、操作受け付け部２１ｃとして処理部２１が機能することによってＧＵＩを介した指示が入力され、指示に応じた処理が起動される。  
【００２７】
ユーザーは、自分のＰＣ１０に設定したグループＩＤと同一のグループＩＤが設定されているスキャナー２０においてジョブを呼び出すための操作を行う（Ｓ１００）。各スキャナー２０の画面２３１は待機状態もしくは省電力モードから復帰した状態において図５Ａに示す状態にある。この状態でＯＫボタン２４７が押されることにより、次のようにしてジョブの呼び出しが実行される。  
【００２８】
ＯＫボタン２４７が押されると、処理部２１は、ＬＡＮ３０の同一セグメント上にある全てのＰＣ１０にジョブ問い合わせを送信する（Ｓ１０１）。ジョブ問い合わせには、これを送信するスキャナー２０に付されたグループＩＤが含まれている。ジョブ問い合わせの送信と後に述べるジョブ要求は処理部２１が問い合わせ部２１ａとして機能することにより行われる。  
【００２９】
ジョブ問い合わせを受信した各ＰＣ１０は、そのジョブ問い合わせに対して応答するか否かを判定する（Ｓ１０２）。この判定と後に述べる問い合わせ応答とジョブ送信とは、処理部１１が応答部１１ｂとして機能することにより行われる。ジョブ問い合わせに対して応答するか否かを判定する処理のフローチャートを図６に示す。この処理ではジョブ問い合わせに含まれているグループＩＤと、これを受信したＰＣ１０に付されているグループＩＤとが一致しているか否かが判定される（Ｓ１０２１）。そして一致していれば、応答が必要であるとし（Ｓ１０２８）、一致していなければ、応答を不要であるとする（Ｓ１０２９）。応答を不要であると判定したＰＣ１０は、ジョブ問い合わせに対して応答しない。  
【００３０】
応答が必要であると判定したＰＣ１０は、次に、問い合わせ応答をジョブ問い合わせの送信元のスキャナー２０に送信する（Ｓ１０３）。問い合わせ応答は、問い合わせ応答を送信するＰＣ１０に付されているコンピューター名を含む。問い合わせ応答は、ジョブ問い合わせの送信元のスキャナー２０に送信先を特定して送信する。  
【００３１】
自ら送信したジョブ問い合わせに対する問い合わせ応答を受信したスキャナー２０は、受信した問い合わせ応答に含まれるコンピューター名を、図５Ｂに示すように選択可能に表示する（Ｓ１０４）。このとき方向キー２４６、２４４によって選択可能に画面２３１に表示されるコンピューター名の数は、そのスキャナー２０とＬＡＮ３０の同一セグメント上にあるＰＣ１０の数よりも少なくなり得る。例えば、グループＩＤ「１」が設定されたスキャナー２０とＬＡＮ３０の同一セグメント上にＰＣ１０が１００台接続されていたとしても、グループＩＤ「１」が設定されたＰＣ１０が５台であったとすれば、グループＩＤ「１」が設定されたスキャナー２０に表示されるコンピューター名は５個になる。  
【００３２】
図５Ｂに示すように選択可能にコンピューター名が表示されている状態においてユーザーによって方向キー２４３が押されると（Ｓ１０５）、処理部２１は、そのとき選択されているコンピューター名が付されたＰＣ１０を選択し、選択したＰＣ１０にジョブ要求を送信する（Ｓ１０６）。  
【００３３】
ジョブ要求を受信したＰＣ１０は、ジョブ要求を送信したスキャナー２０にジョブを送信する（Ｓ１０８）。ここで、パスワードについて説明する。複数のＰＣ１０のそれぞれで異なるユーザーが設定したジョブをスキャナー２０において任意のユーザーが選択可能にすると、他人が設定したジョブを選択して実行する誤操作が発生し得る。そこで、このような誤操作を防止するため、他人が設定したジョブを選択不能にするためのパスワードを設定可能にしてもよい。図２Ｂに示すＧＵＩでは、ＰＣ１０毎にユニークで同一ＰＣ１０において設定されるジョブについては共通のパスワードを設定可能である。もちろん例えば、図２Ａに示すＧＵＩにパスワードを入力するためのテキストボックスを設けることで、ジョブ毎にユニークなパスワードを設定可能にしても良い。そしてこのようなパスワードが設定されている場合には、ＰＣ１０は、パスワードを付してジョブをスキャナー２０に送信すればよい。そして、スキャナー２０は、パスワードを受信した後、ジョブを実行する前に、図５Ｃに示すようにパスワードの入力をユーザーに要求すればよい（Ｓ１０９）。  
【００３４】
なお、ＰＣ１０は、ジョブ問い合わせ応答にパスワードを付してもよい。ジョブ問い合わせ応答にパスワードを付す場合には、図５Ｂに示すように選択可能にコンピューター名が表示されている状態において方向キー２４３が押された後、ジョブ要求を送信する前に、図５Ｃに示すようにパスワードの入力を要求することができる。  
【００３５】
ユーザーによって正しいパスワードが入力されると（Ｓ１１０）、スキャナー２０は図５Ｄに示すようにジョブを選択可能にジョブ名を表示する（Ｓ１１１）。  
【００３６】
図５Ｄに示すように選択可能にジョブ名が表示されている状態において、ジョブの仮選択は方向キー２４４、２４６によって行われる。ユーザーによってスキャン開始キー２４２が押されるとジョブの選択が確定する（Ｓ１１２）。ジョブの選択が確定すると、読み取り処理部２１は選択されたジョブ名のジョブを選択して実行する（Ｓ１０６）。すなわち、読み取り制御部２１ｄは、ジョブに定義されている読み取り方法や解像度に従って原稿から画像データを読み取るように読み取り部２２を制御し、ジョブに定義されている出力方法に従って、読み取られた画像データを出力する。  
【００３７】
第一実施例によると、キーボードとマウスと広い画面とを備えるＰＣ１０においてジョブを設定してスキャナー２０で実行させることができるため、任意のジョブを設定してスキャナーに実行させることが容易である。また、ＰＣ１０を選択することで表示されるジョブを絞り込んでからジョブを選択できるため、多数のジョブから所望のジョブを選択することが容易である。また、スキャナー２０に表示するジョブがグループＩＤによって抽出されるため、ユーザーは自分のＰＣ１０において設定したジョブを選択しやすくなる。また、ジョブ問い合わせに対して応答するＰＣ１０が限定されるため、スキャナー２０において選択可能に表示するジョブを絞り込む処理の負荷が低減される。  
【００３８】
２．第二実施例  上述した第一実施例では、特定のグループに属するＰＣ１０の外部記憶１２に記憶されている全てのジョブを当該特定のグループに属するスキャナー２０において選択可能であった。次に、ＰＣ１０において設定された表示優先度の高いジョブを抽出してスキャナー２０において選択可能に表示する第二実施例を図７から図１１を参照しながら説明する。  
【００３９】
まず、ＰＣ１０においてユーザーにジョブを設定させるとき（Ｓ９９）、設定部１１ａが表示優先度の設定を受け付ける。例えば図８に示すＧＵＩでは、「すぐに実行する。」に対応するチェックボックスをオンにすると、表示優先度が高く設定され、オフにすると表示優先度が低く設定される。すなわち、図８に示すＧＵＩでは表示優先情報としてのフラグのオンオフによって２段階の表示優先度を設定可能である。そして設定部１１ａは、表示優先度を高く設定するときに、その設定時刻を記憶するか、あるいは、タイマーをセットすることにより、所定期間経過後に自動的に表示優先度を低く戻す。具体的には図９に示すように、設定部１１ａが、設定時刻と現在時刻もしくはタイマーを参照することにより、優先フラグがオンになったときから所定時間が経過したかを判定し（Ｓ１００１）、経過した場合には、優先フラグをオフにすればよい（Ｓ１００２）。  
【００４０】
ジョブ問い合わせに対する応答要否判定では、グループＩＤと優先フラグに基づいて応答の要否が判定される（Ｓ１０２）。具体的には図１０に示すように、Ｓ１０２１においてグループＩＤが一致しているか否かを判定した後に、グループＩＤが一致している場合には、優先フラグがオンのジョブがあるか否かを判定する（Ｓ１０２２）。優先フラグがオンのジョブがあれば応答が必要であるとし（Ｓ１０２８）、なければ応答が不要であるとする（Ｓ１０２９）。  
【００４１】
次に、スキャナー２０とグループＩＤが一致し、かつ、優先フラグがオンになっているジョブが設定されているＰＣ１０のみからスキャナー２０に対してジョブが送信される（Ｓ１０８）。  
【００４２】
ステップＳ１１１においてジョブを選択可能にスキャナー２０に表示するＧＵＩの一例を図１１に示す。図１１に示すように、ジョブ名とコンピューター名とを併記することにより、ユーザーが所望のジョブを選択しやすくなる。また、コンピューター名またはジョブ名で表示順を並び替えてこれらを表示することが望ましい。  
【００４３】
このように第二実施例では、スキャナー２０に表示するジョブが優先フラグによって抽出されるため、ユーザーは自分のＰＣ１０において設定したジョブをさらに選択しやすくなる。なお、本実施例ではスキャナー２０においていずれかのＰＣ１０を選択させてからジョブを要求する一連の処理（Ｓ１０３−Ｓ１０６）を行わないことでユーザーが所望のジョブを選択するために必要な操作を少なくしているが、行ってもよい。また、パ
スワードの照合についても、本実施例では行わないこととしているが、行っても良い。  
【００４４】
３．第三実施例  第二実施例では、優先フラグのオンオフによって２段階の表示優先度を設定可能な例を説明したが、本実施例では、３段階以上の表示優先度を設定可能とする例を説明する。  
【００４５】
それぞれのＰＣ１０において各ジョブに３段階以上の表示優先度を設定するためのＧＵＩの一例を図１２に示す。本実施例では、ジョブの設定から読み取り実行までの予定期間を表示優先情報とし、予定期間が短いほど表示優先度が高くなる。具体的には、「３分以内に実行する」、「５分以内に実行する」、「１０分以内に実行する」の３つの選択肢は択一的に選択可能である。そして、スキャナー２０においては予定期間が短いジョブほど上位に表示される。ただし、このような場合、自分が設定したジョブが常に上位に表示されるように、実際の予定期間にかかわらず、常に最短の予定期間が設定される恐れがある。したがって、予定期間が経過したジョブは、スキャナー２０に表示されないようにすることが望ましい。  
【００４６】
図１３は、スキャナー２０においてジョブが表示される期間と表示優先度の関係を示すグラフである。図１３に示すように、表示優先度が低いほど、すなわち、ジョブの設定から読み取り実行までの予定期間が長いほど、ジョブが設定されてからスキャナー２０において当該ジョブが表示されなくなるまでの表示期間が長くなる。また逆に、表示優先度が高いほど、すなわち、ジョブの設定から読み取り実行までの予定期間が短いほど、ジョブが設定されてからスキャナー２０において当該ジョブが表示されなくなるまでの表示期間が短くなる。  
【００４７】
このように表示優先度と表示期間に応じてジョブをスキャナー２０において表示するためには、図９に示したステップＳ１００１において、ジョブが設定された後に予定期間が経過したか否かを判定し、予定期間が経過した場合には優先フラグをオフにする。そして図７に示したステップＳ１０８において、予定期間（表示優先度）をジョブに付して送信する。  
【００４８】
ここで、ある時刻ｔ０に複数のＰＣ１０のそれぞれにおいて以下の表に示すジョブが設定されたとする。    
【表１】
2014093631.tif 000003
【００４９】
時刻ｔ０から３分以内にスキャナー２０にジョブを表示すると、図１４Ａに示すように、「ＰＣ６５」において設定された「Ｊｏｂ１」が最上位に表示され、「ＰＣ７」において設定された「Ｊｏｂ３」が最下位に表示される。そして時刻ｔ０から３分経過すると、図１４Ｂに示すように「ＰＣ６５」において設定された「Ｊｏｂ１」が表示されなくなり、かわって「ＰＣ４」において設定された「Ｊｏｂ２」が最上位に表示される。さらに時刻ｔ０から５分以上１０分未満経過する間にコンピューター名「ＰＣ２２」のＰＣ１０において「Ｊｏｂ２」の予定期間が「３」に変更されたとすると、変更後のスキャナー２０における表示は、図１４Ｃに示すように「ＰＣ２２」において設定された「Ｊｏｂ２」が最上位に表示され、「ＰＣ４」において設定された「Ｊｏｂ２」、「ＰＣ５」において設定された「Ｊｏｂ１」、「ＰＣ１０」において設定された「Ｊｏｂ１」が表示されなくなり、時刻ｔ０において「ＰＣ７」において表示優先度が「１０」に設定された「Ｊｏｂ３」が最下位に表示される。  
【００５０】
このように第三実施例では、ユーザーがスキャナー２０を利用しようとする緊急度に応じて表示優先度を設定することができ、設定した緊急度が高いほど自ら設定したジョブを選択しやすくスキャナー２０に表示させることができる。なお、本実施例では、予定期間が経過したときに優先フラグをオフにすることで表示優先度を最下位に下げる例を説明したが、予定期間の残り時間に応じて表示優先度を上げるとともに予定期間が経過したときに表示優先度を最下位に下げても良い。  
【００５１】
４．他の実施形態  尚、本発明の技術的範囲は、上述した実施例に限定されるものではなく、本発明の要旨を逸脱しない範囲内において種々変更を加え得ることは勿論である。  例えば、上記実施例では、優先フラグがオフのジョブ、すなわち表示優先度が最も低いジョブはスキャナー２０に表示されないが、表示優先度に関わらず全てのジョブをスキャナーにおいて選択可能にするとともに、表示優先度に応じてジョブの表示順位を上下させてもよい。また例えば、上記実施例では、表示の優先順位が高いほどリスト上での表示位置を高くしてジョブを表示したが、表示の優先順位が高いほど上位階層のＧＵＩにジョブを表示しても良い。具体的には例えば、ジョブを選択するＧＵＩに階層を導入し、上位階層のリストには優先フラグがオンのジョブを、下位階層のリストには優先フラグがオフのジョブを表示しても良い。  
【００５２】
また例えば、ジョブが最後に設定された時刻を表示優先情報としてジョブに含めておくことで、その設定時刻に基づいてジョブの表示順位を決めることも可能である。具体的には、ユーザーはジョブを一定期間内に実行させようとする意志があるときにジョブを設定すると予想されるため、設定時刻が現在時刻に近いほど表示順位を上位にすることで、緊急性や使用頻度が高いジョブほど上位に表示することが可能になる。
【符号の説明】
【００５３】
１０…ＰＣ、１１…処理部、１１ａ…設定部、１１ｂ…応答部、１２…外部記憶、１３…表示部、１４…操作部、２０…スキャナー、２１…処理部、２１ａ…問い合わせ部、２１ｂ…表示制御部、２１ｃ…操作受け付け部、２１ｄ…制御部、２２…読み取り部、２３…表示部、２４…操作部、２５…外部記憶、２３１…画面、２４１…設定ボタン、２４２…スキャン開始キー、２４３…方向キー、２４４…方向キー、２４５…方向キー、２４６…方向キー、２４７…ＯＫボタン
【図１】
2014093631.tif 000004
【図２】
2014093631.tif 000005
【図３】
2014093631.tif 000006
【図４】
2014093631.tif 000007
【図５】
2014093631.tif 000008
【図６】
2014093631.tif 000009
【図７】
2014093631.tif 000010
【図８】
2014093631.tif 000011
【図９】
2014093631.tif 000012
【図１０】
2014093631.tif 000013
【図１１】
2014093631.tif 000014
【図１２】
2014093631.tif 000015
【図１３】
2014093631.tif 000016
【図１４】
2014093631.tif 000017